(57)【要約】【課題】特定のプログラムやコンテンツデータを効率的にユーザに提供できるようにする記録媒体及び該記録媒体を用いたデータの提供方法の提供。【解決手段】第１の記録媒体９ａに、特定のプログラムを第１の記録装置１にインストールするためのデータと、第１の記録装置１に記録するためのコンテンツデータと、機能を制限した特定のプログラムを第２の記録装置１０にインストールするためのデータ及び第２の記録装置１０に記録するための内容を削減したコンテンツデータとを記録する。これにより、第１の記録装置１に特定のプログラムをインストールしたりコンテンツデータを記録することができ、また、第２の記録装置１０に制限された特定のプログラムをインストールしたり内容が削減されたコンテンツデータを記録するための第２の記録媒体９ｂを作成することができ、ユーザの利便性を向上させる。【選択図】図１
2007042057.tif 000002
【特許請求の範囲】
【請求項１】
特定のプログラムを第１の記録装置にインストールするための第１のデータと、
前記特定のプログラムの機能の一部を制限したプログラムを第２の記録装置にインストールするための第２のデータと、
コンテンツデータと、が少なくとも記録されていることを特徴とする記録媒体。
【請求項２】
特定のプログラムを第１の記録装置にインストールするための第１のデータと、
前記第１の記録装置に記録するための第１のコンテンツデータと、
前記特定のプログラムの機能の一部を制限したプログラムを第２の記録装置にインストールするための第２のデータと、
前記第２の記録装置に記録するための、前記第１のコンテンツデータの内容を削減した第２のコンテンツデータと、が少なくとも記録されていることを特徴とする記録媒体。
【請求項３】
前記特定のプログラムは、画像データを編集するための編集プログラムと、前記第２のデータと前記コンテンツデータ又は前記第２のコンテンツデータとを他の記録装媒体に記録するためのコピープログラムと、を含むことを特徴とする請求項１又は２に記載の記録媒体。
【請求項４】
前記特定のプログラムは、前記画像データに基づく画像を家電機器でスライドショーとして表示させる家電機器用データを生成するためのスライドショー作成プログラムを含むことを特徴とする請求項３記載の記録媒体。
【請求項５】
更に、前記記録媒体の提供元を示すロゴタイプデータが記録されていることを特徴とする請求項１乃至４のいずれか一に記載の記録媒体。
【請求項６】
更に、前記記録媒体に対して機能するセットアッププログラムが記録され、
前記セットアッププログラムは、
コンピュータを、
前記第１の記録装置に予め定められた名称の所定のフォルダが存在するかを調べ、
前記第１の記録装置に前記所定のフォルダが存在する場合において、
前記記録媒体の前記特定のプログラムが、前記第１の記録装置に予めインストールされている特定のプログラムよりもバージョンが新しい場合に、前記第１のデータを用いて前記第１の記録装置に前記特定のプログラムをインストール又は前記第１の記録装置に予めインストールされている特定のプログラムをバージョンアップし、
前記記録媒体の前記コンテンツデータ又は前記第１のコンテンツデータが、前記第１の記録装置に予め記録されているコンテンツデータ又は第１のコンテンツデータと異なるコンテンツデータを含む場合に、前記第１の記録装置に前記異なるコンテンツデータを追加し、
前記記録媒体の前記ロゴタイプデータが、前記第１の記録装置に予め記録されているロゴタイプデータと異なる場合に、予め記録されているロゴタイプデータを前記記録媒体の前記ロゴタイプデータに差し替える手段、として機能させることを特徴とする請求項５記載の記録媒体。
【請求項７】
特定のプログラムを第１の記録装置にインストールするための第１のデータと、前記特定のプログラムの機能の一部を制限したプログラムを第２の記録装置にインストールするための第２のデータと、コンテンツデータと、が記録された第１の記録媒体を用いて、第１の記録装置に前記特定のプログラムをインストールすると共に、前記コンテンツデータと前記第２のデータとを記憶する第１のステップと、
前記第２のデータと、前記特定のプログラムの機能の一部を制限したプログラムを第３の記録装置にインストールするための第３のデータと、前記コンテンツデータと、を第２の記録媒体に記録する第２のステップと、を少なくとも有することを特徴とするデータの提供方法。
【請求項８】
特定のプログラムを第１の記録装置にインストールするための第１のデータと、前記第１の記録装置に記録するための第１のコンテンツデータと、前記特定のプログラムの機能の一部を制限したプログラムを第２の記録装置にインストールするための第２のデータと、前記第２の記録装置に記録するための、前記第１のコンテンツデータの内容を削減した第２のコンテンツデータと、が記録された第１の記録媒体を用いて、第１の記録装置に前記特定のプログラムをインストールすると共に、前記第１のコンテンツデータと前記第２のデータと前記第２のコンテンツデータとを記憶する第１のステップと、
前記第２のデータと、前記第２のコンテンツデータと、前記特定のプログラムの機能の一部を制限したプログラムを第３の記録装置にインストールするための第３のデータと、前記第３の記録装置に記録するための、前記第１のコンテンツデータの内容を削減した第３のコンテンツデータと、を第２の記録媒体に記録する第２のステップと、を少なくとも有することを特徴とするデータの提供方法。
【請求項９】
前記第３のコンテンツデータは、前記第２のコンテンツデータよりも更に内容が削減されていることを特徴とする請求項９記載のデータの提供方法。
【請求項１０】
前記第３の装置にインストールされるプログラムは、前記第２の装置にインストールされるプログラムよりも更に機能が制限されていることを特徴とする請求項７乃至９のいずれか一に記載のデータの提供方法。
【請求項１１】
前記特定のプログラムは、画像データを編集するための編集プログラムと、前記第２のデータと前記コンテンツデータ又は前記第２のコンテンツデータとを前記第２の記録装媒体に記録するためのコピープログラムと、を含むことを特徴とする請求項７乃至１０のいずれか一に記載のデータの提供方法。
【請求項１２】
前記特定のプログラムは、前記画像データに基づく画像を家電機器でスライドショーとして表示させる家電機器用データを生成するためのスライドショー作成プログラムを含むことを特徴とする請求項１１記載のデータの提供方法。
【請求項１３】
前記第２のステップでは、前記第２の記録装媒体に、更に、前記第１の記録装置で入力した画像データと、該画像データに基づいて前記スライドショー作成プログラムを用いて生成した前記家電機器用データとを記録することを特徴とする請求項１２記載のデータの提供方法。
【請求項１４】
前記記録媒体に、該記録媒体の提供元を示すロゴタイプデータが記録され、
前記第１のステップでは、更に、前記第１の記録装置に前記ロゴタイプデータを記録することを特徴とする請求項７乃至１３のいずれか一に記載のデータの提供方法。
【請求項１５】
前記第１のステップでは、
前記第１の記録装置に予め定められた名称の所定のフォルダが存在するかを調べ、
前記第１の記録装置に前記所定のフォルダが存在する場合において、
前記記録媒体の前記特定のプログラムが、前記第１の記録装置に予めインストールされている特定のプログラムよりもバージョンが新しい場合に、前記第１のデータを用いて前記第１の記録装置に前記特定のプログラムをインストール又は前記第１の記録装置に予めインストールされている特定のプログラムをバージョンアップし、
前記記録媒体の前記コンテンツデータ又は前記第１のコンテンツデータが、前記第１の記録装置に予め記録されているコンテンツデータ又は第１のコンテンツデータと異なるコンテンツデータを含む場合に、前記第１の記録装置に前記異なるコンテンツデータを追加し、
前記記録媒体の前記ロゴタイプデータが、前記第１の記録装置に予め記録されているロゴタイプデータと異なる場合に、予め記録されているロゴタイプデータを前記記録媒体の前記ロゴタイプデータに差し替えることを特徴とする請求項１４記載のデータの提供方法。
【発明の詳細な説明】
【技術分野】
【０００１】
本発明は、記録媒体及び該記録媒体を用いたデータの提供方法に関する。
【背景技術】
【０００２】
近年、写真画像に関する様々なサービスが提供されている。例えば、写真を撮影したデジタルカメラやデジタルカメラ用メディアをミニラボ等の写真店に持ち込み、店舗内に設けられた無人端末（キオスク）や店頭端末などを操作することによって、デジタルカメラやメディアに記録された画像データをＣＤ−Ｒ、ＤＶＤ−Ｒなどの記録媒体に書き込むことができる（上記無人端末に関しては、例えば、下記特許文献１参照）。
【０００３】
また、デジタルカメラやメディアから読み取った画像データを単に記録媒体に記録するのではなく、画像データと共に、これらの画像データを音楽付きスライドショーとして再生するための音楽データやスライドショープログラムをＣＤ−ＲやＤＶＤ−Ｒなどの記録媒体に書き込むサービスや、これらの画像データをＤＶＤプレーヤやＤＶＤレコーダ、ＨＤＤレコーダ、ゲーム機などの家電機器で音楽付きスライドショーとして再生するためのデータ（以下、家電機器用データと呼ぶ。）を作成してＣＤ−ＲやＤＶＤ−Ｒなどの記録媒体に書き込むサービスも行われている。
【０００４】
【特許文献１】特開平１１−８８１７号公報（第３−４頁、第１図）
【発明の開示】
【発明が解決しようとする課題】
【０００５】
上記サービスを利用することにより、デジタルカメラやメディア等に記録された画像データなどが記録された記録媒体を入手することができ、この記録媒体をパーソナルコンピュータなどのコンピュータ機器や家電機器に装填することにより画像データをスライドショーとして再生することができるが、例えば、画像データに基づく画像を回転させたり、画像の一部を切り出したり、画像に文字やイラストを合成したり、画像の表示の際に音楽を再生させたり、画像の明るさやコントラスト、色彩などを調整するなど、画像データに対して様々な処理を施したり、特別なデザインのテンプレートを利用することによって、利用価値の高いスライドショーを作成することができる。また、特別なデザインのスキン（アプリケーションソフトの外観に関する情報を格納したファイル）を利用することによってスライドショーの作成を効果的に行うことができる。
【０００６】
その場合、編集プログラムなどの特定のプログラムや特別なテンプレートデータやスキンなどのデータ（以下、コンテンツデータと呼ぶ。）を利用することになるが、コンピュータ機器に上述特定のプログラムがインストールされていない場合や、インストールされているプログラムが上述した機能を備えていない場合には画像データに対して所望の処理を行うことができず、ユーザ自らが適切なプログラムを入手しなければならない。また、コンピュータ機器に上記コンテンツデータが記録されていない場合もユーザ自らが適切なコンテンツデータを入手しなければならない。
【０００７】
また、上記記録媒体は、該記録媒体を作成したユーザ自身が利用するのみならず、友人や知人などの他のユーザに利用させる場合もあり、その場合も、他のユーザのコンピュータ機器に特定プログラムがインストールされていない場合やコンテンツデータが記録されていない場合には、他のユーザ自身が適切なプログラムや適切なコンテンツデータを入手しなければならず不便であり、このような不便さが上記サービスの使用促進の妨げとなっていた。
【０００８】
そこで、記録媒体に予め特定のプログラムやコンテンツデータを記録しておき、この記録媒体を用いて特定のプログラムやコンテンツデータを利用できるようにすることもできる。しかしながら、記録媒体に単に特定のプログラムやコンテンツデータを記録しておくだけでは、コンピュータ機器に特定のプログラムをインストールしたり、コンテンツデータをコピーする操作が必要であり、また、他のユーザに提供するために新たな記録媒体を作成する場合には、新たな記録媒体に特定のプログラムやコンテンツデータを記録する必要があり、利便性が悪いという問題があった。
【０００９】
また、コンピュータ機器に特定のプログラムをインストールしたり、コンテンツデータや記録媒体の提供元を示すロゴマークのデータ（以下、ロゴタイプデータと呼ぶ。）をコピーした後、バージョンの異なる特定のプログラムや内容の異なるコンテンツデータやロゴタイプデータが記録された記録媒体を入手した場合に、特定のプログラムをバージョンアップしたり、コンテンツデータを増やしたり、ロゴタイプデータを差し替えるには、複数の記録媒体に記録されたプログラムやデータをユーザ自身が比較して、必要に応じて、特定のプログラムをインストールしたり、内容の異なるコンテンツデータやロゴタイプデータをコピーするなど操作を行わなければならず、利便性が悪いという問題があった。
【００１０】
本発明は、上記問題点に鑑みてなされたものであって、その主たる目的は、特定のプログラムやコンテンツデータを効率的にユーザに提供できるようにする記録媒体及び該記録媒体を用いたデータの提供方法を提供することにある。
【００１１】
また、本発明の他の目的は、適切な特定のプログラムやコンテンツデータ、ロゴタイプデータをユーザに提供できるようにする記録媒体及び該記録媒体を用いたデータの提供方法を提供することにある。
【課題を解決するための手段】
【００１２】
上記目的を達成するため、本発明の記録媒体は、特定のプログラムを第１の記録装置にインストールするための第１のデータと、前記特定のプログラムの機能の一部を制限したプログラムを第２の記録装置にインストールするための第２のデータと、コンテンツデータと、が少なくとも記録されているものである。
【００１３】
また、本発明の記録媒体は、特定のプログラムを第１の記録装置にインストールするための第１のデータと、前記第１の記録装置に記録するための第１のコンテンツデータと、前記特定のプログラムの機能の一部を制限したプログラムを第２の記録装置にインストールするための第２のデータと、前記第２の記録装置に記録するための、前記第１のコンテンツデータの内容を削減した第２のコンテンツデータと、が少なくとも記録されているものである。
【００１４】
本発明においては、前記特定のプログラムは、画像データを編集するための編集プログラムと、前記第２のデータと前記コンテンツデータ又は前記第２のコンテンツデータとを他の記録装媒体に記録するためのコピープログラムと、を含む構成とすることができ、更に、前記画像データに基づく画像を家電機器でスライドショーとして表示させる家電機器用データを生成するためのスライドショー作成プログラムを含む構成とすることもできる。
【００１５】
また、本発明においては、更に、前記記録媒体の提供元を示すロゴタイプデータが記録されている構成とすることができ、また、更に、前記記録媒体に対して機能するセットアッププログラムが記録され、前記セットアッププログラムは、コンピュータを、前記第１の記録装置に予め定められた名称の所定のフォルダが存在するかを調べ、前記第１の記録装置に前記所定のフォルダが存在する場合において、前記記録媒体の前記特定のプログラムが、前記第１の記録装置に予めインストールされている特定のプログラムよりもバージョンが新しい場合に、前記第１のデータを用いて前記第１の記録装置に前記特定のプログラムをインストール又は前記第１の記録装置に予めインストールされている特定のプログラムをバージョンアップし、前記記録媒体の前記コンテンツデータ又は前記第１のコンテンツデータが、前記第１の記録装置に予め記録されているコンテンツデータ又は第１のコンテンツデータと異なるコンテンツデータを含む場合に、前記第１の記録装置に前記異なるコンテンツデータを追加し、前記記録媒体の前記ロゴタイプデータが、前記第１の記録装置に予め記録されているロゴタイプデータと異なる場合に、予め記録されているロゴタイプデータを前記記録媒体の前記ロゴタイプデータに差し替える手段、として機能させる構成とすることもできる。
【００１６】
また、本発明のデータの提供方法は、特定のプログラムを第１の記録装置にインストールするための第１のデータと、前記特定のプログラムの機能の一部を制限したプログラムを第２の記録装置にインストールするための第２のデータと、コンテンツデータと、が記録された第１の記録媒体を用いて、第１の記録装置に前記特定のプログラムをインストールすると共に、前記コンテンツデータと前記第２のデータとを記憶する第１のステップと、前記第２のデータと、前記特定のプログラムの機能の一部を制限したプログラムを第３の記録装置にインストールするための第３のデータと、前記コンテンツデータと、を第２の記録媒体に記録する第２のステップと、を少なくとも有するものである。
【００１７】
また、本発明のデータの提供方法は、特定のプログラムを第１の記録装置にインストールするための第１のデータと、前記第１の記録装置に記録するための第１のコンテンツデータと、前記特定のプログラムの機能の一部を制限したプログラムを第２の記録装置にインストールするための第２のデータと、前記第２の記録装置に記録するための、前記第１のコンテンツデータの内容を削減した第２のコンテンツデータと、が記録された第１の記録媒体を用いて、第１の記録装置に前記特定のプログラムをインストールすると共に、前記第１のコンテンツデータと前記第２のデータと前記第２のコンテンツデータとを記憶する第１のステップと、前記第２のデータと、前記第２のコンテンツデータと、前記特定のプログラムの機能の一部を制限したプログラムを第３の記録装置にインストールするための第３のデータと、前記第３の記録装置に記録するための、前記第１のコンテンツデータの内容を削減した第３のコンテンツデータと、を第２の記録媒体に記録する第２のステップと、を少なくとも有するものである。
【００１８】
本発明においては、前記第３のコンテンツデータは、前記第２のコンテンツデータよりも更に内容が削減されている構成とすることができる。
【００１９】
また、本発明においては、前記第３の装置にインストールされるプログラムは、前記第２の装置にインストールされるプログラムよりも更に機能が制限されている構成とすることもできる。
【００２０】
また、本発明においては、前記特定のプログラムは、画像データを編集するための編集プログラムと、前記第２のデータと前記コンテンツデータ又は前記第２のコンテンツデータとを他の記録装媒体に記録するためのコピープログラムと、を含む構成とすることができ、更に、前記画像データに基づく画像を家電機器でスライドショーとして表示させる家電機器用データを生成するためのスライドショー作成プログラムを含む構成とすることもできる。
【００２１】
また、本発明においては、前記第２のステップでは、前記第２の記録装媒体に、更に、前記第１の記録装置で入力した画像データと、該画像データに基づいて前記スライドショー作成プログラムを用いて生成した前記家電機器用データとを記録する構成とすることもできる。
【００２２】
また、本発明においては、前記記録媒体に、該記録媒体の提供元を示すロゴタイプデータが記録され、前記第１のステップでは、更に、前記第１の記録装置に前記ロゴタイプデータを記録する構成とすることができ、また、前記第１のステップでは、前記第１の記録装置に予め定められた名称の所定のフォルダが存在するかを調べ、前記第１の記録装置に前記所定のフォルダが存在する場合において、前記記録媒体の前記特定のプログラムが、前記第１の記録装置に予めインストールされている特定のプログラムよりもバージョンが新しい場合に、前記第１のデータを用いて前記第１の記録装置に前記特定のプログラムをインストール又は前記第１の記録装置に予めインストールされている特定のプログラムをバージョンアップし、前記記録媒体の前記コンテンツデータ又は前記第１のコンテンツデータが、前記第１の記録装置に予め記録されているコンテンツデータ又は第１のコンテンツデータと異なるコンテンツデータを含む場合に、前記第１の記録装置に前記異なるコンテンツデータを追加し、前記記録媒体の前記ロゴタイプデータが、前記第１の記録装置に予め記録されているロゴタイプデータと異なる場合に、予め記録されているロゴタイプデータを前記記録媒体の前記ロゴタイプデータに差し替える構成とすることもできる。
【００２３】
このように、本発明の記録媒体を用いることにより、第１の記録装置に特定のプログラムをインストールしたりコンテンツデータを記録することができ、また、第２の記録装置に機能が制限された特定のプログラムをインストールしたり内容が削減されたコンテンツデータを記録する他の記録媒体を作成することができるため、特定のプログラムやコンテンツデータを効率的にユーザに提供することが可能になり、ユーザの利便性を向上させることができる。
【００２４】
また、本発明のセットアッププログラムを用いることにより、新しいバージョンの特定のプログラムをインストールしたり、新しいコンテンツデータを追加したり、ロゴタイプデータを差し替えることができるため、適切な特定のプログラムやコンテンツデータ、ロゴタイプデータをユーザに提供することが可能になり、ユーザの利便性を向上させることができる。
【発明の効果】
【００２５】
以上説明したように、本発明の記録媒体及び該記録媒体を用いたデータの提供方法によれば、特定のプログラムやコンテンツデータを効率的にユーザに提供することができ、ユーザの利便性を向上させることができる。
【００２６】
その理由は、記録媒体には、特定のプログラムを第１の記録装置にインストールするためのデータと、第１の記録装置に記録するためのコンテンツデータと、機能を制限した特定のプログラムを第２の記録装置にインストールするためのデータ及び第２の記録装置に記録するための内容を削減したコンテンツデータと、がセットになって記録されているため、この記録媒体を利用するだけで、第１の記録装置に特定のプログラムをインストールしたりコンテンツデータを記録することができ、また、第２の記録装置に機能が制限された特定のプログラムをインストールしたり内容が削減されたコンテンツデータを記録する他の記録媒体を作成することができるからである。
【００２７】
また、セットアッププログラムでは、第１の記録装置に所定のフォルダがあるかを調べ、所定のフォルダがある場合には、記録媒体の特定のプログラムが予めインストールされている特定のプログラムよりもバージョンが新しい場合に、記録媒体の特定のプログラムをインストール又は予めインストールされている特定のプログラムをバージョンアップしたり、記録媒体のコンテンツデータが予め記録されているコンテンツデータと異なるコンテンツデータを含んでいる場合に、異なるコンテンツデータを追加したり、記録媒体のロゴタイプデータが予め記録されているロゴタイプデータと異なる場合に、予め記録されているロゴタイプデータを記録媒体のロゴタイプデータに差し替える制御を行うからである。
【発明を実施するための最良の形態】
【００２８】
本発明に係る記録媒体は、その好ましい一実施の形態において、編集プログラムやコピープログラム、スライドショー作成プログラムなどの特定のプログラムを第１の記録装置にインストールするためのデータと、第１の記録装置に記録するためのテンプレートデータやスキンなどのコンテンツデータと、機能を制限した特定のプログラムを第２の記録装置にインストールするためのデータ及び第２の記録装置に記録するための内容を削減したコンテンツデータと、がセットになって記録されているものであり、この記録媒体を利用するだけで、第１の記録装置に特定のプログラムをインストールしたりコンテンツデータを記録することができ、また、第２の記録装置に機能が制限された特定のプログラムをインストールしたり内容が削減されたコンテンツデータを記録するための他の記録媒体を作成することができ、これにより特定のプログラムやコンテンツデータを効率的にユーザに提供することが可能になり、ユーザの利便性を向上させることができる。
【実施例１】
【００２９】
上記実施形態について詳細に説明すべく、本発明の第１の実施例に係る記録媒体及び該記録媒体を用いたデータの提供方法について、図１乃至図１２を参照して説明する。図１は、本発明の第１の実施例に係るシステムの構成を模式的に示す図であり、図２乃至図６は、第１の記録装置のバリエーションを示す図である。また、図７は、記録媒体を用いたデータの提供手順を示すフローチャート図であり、図８乃至図１１は、データの記録構造を示す図である。また、図１２は、記録媒体（ＣＤ−Ｒ）の構造を模式的に示す図である。
【００３０】
図１に示すように、本実施例のシステムは、第１の記録媒体９ａにより特定のプログラムをインストールしたり、コンテンツデータを記録すると共に、第２の記録媒体９ｂを作成する第１の記録装置１と、第２の記録媒体９ｂにより機能の一部が制限された特定のプログラムをインストールしたり、内容が削減されたコンテンツデータを記録すると共に、第３の記録媒体９ｃを作成する第２の記録装置１０などからなる。
【００３１】
上記第１の記録媒体９ａには、画像データに基づく画像を回転させたり、画像の一部を切り出したり、画像に文字やイラストを合成したり、画像の表示の際に音楽を再生させたり、画像の明るさやコントラスト、色彩などを調整するなどの機能を備える編集プログラムや所定のデータを第２の記録媒体９ｂに記録するためのコピープログラムなどの特定のプログラムを第１の記録装置１にインストールするためのデータと、第１の記録装置１に記録するための特別なデザインのテンプレートデータや特別なデザインのスキンなどのコンテンツデータと、特定のプログラムに備える機能の一部が利用できないように設定されたプログラム（以下、制限付きプログラムと呼ぶ。）を第２の記録装置１０にインストールするためのデータ及び第２の記録装置１に記録するためのコンテンツデータの一部（以下、部分コンテンツデータと呼ぶ。）と、が記録されている。
【００３２】
また、第１の記録装置１には、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の第１の記録媒体９や第２の記録媒体９ｂを装填する記録媒体装填部４と、特定のプログラムやコンテンツデータなどを記憶するハードディスクなどの記憶手段１１と、ＬＣＤ、ＣＲＴ等の表示手段５と、ボタン、キーボード、マウス等の操作手段６とを備えている。
【００３３】
また、第２の記録装置１０には、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の第２の記録媒体９ｂや第３の記録媒体９ｃを装填する記録媒体装填部１４と、制限付きプログラムや部分コンテンツデータなどを記録するハードディスクなどの記憶手段１２と、ＬＣＤ、ＣＲＴ等の表示手段１５と、ボタン、キーボード、マウス等の操作手段１６とを備えている。
【００３４】
なお、図１では第１の記録装置１や第２の記録媒体１０としてパーソナルコンピュータを示しているが、記録装置１及び第２の記録媒体１０の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００３５】
次に、上記第１の記録媒体９ａ、第２の記録媒体９ｂ…を利用して、第１の記録装置１、第２の記録装置１０…に特定のプログラムをインストールしたり、コンテンツデータを記録する手順について、図７のフローチャート図を参照して説明する。なお、以下の説明では、特定のプログラムや制限付きプログラムを第１の記録装置１や第２の記録装置１０にインストールする構成としているが、これらのプログラムを記録装置にインストールせずに、第１の記録媒体９ａの特定のプログラムや第２の記録媒体９ｂの制限付きプログラムを機能させてもよい。
【００３６】
まず、ステップＳ１０１で、第１の記録装置１の記録媒体装填部４に第１の記録媒体９ａを装填する。この第１の記録媒体９ａには、例えば、図８に示すように、特定のプログラムを第１の記録装置１にインストールするためのデータ（ここでは編集プログラムとなるcompressedit.dllと、コピープログラムとなるcompresscopy.dllと、これらを解凍して第１の記録装置１にインストールするためのSetup.exe）と、第１の記録装置１に記録するためのコンテンツデータ（ここではコンテンツＡのA1.jpg…やA1.mp3…と、コンテンツＢのB1.jpg…やB1.mp3…）と、制限付きプログラムを第２の記録装置１０にインストールするためのデータ（ここでは制限付き編集プログラムとなるcompressedit1.dllと、コピープログラムとなるcompresscopy.dllと、これらを解凍して第２の記録装置１にインストールするためのSetup.exe）と、第２の記録装置１０に記録するための部分コンテンツデータ（コンテンツＢのB1.jpg…やB1.mp3…）と、が記録されている。
【００３７】
なお、図８の構成は例示であり、特定のプログラムを第１の記録装置１にインストールするためのデータと、第１の記録装置１に記録されるコンテンツデータと、制限付きプログラムを第２の記録装置１０にインストールするためのデータと、第２の記録装置１０に記録される部分コンテンツデータと、が記録されていればよい。また、図８では、編集プログラムの機能のみを制限する場合を示しているが、編集プログラムとコピープログラムの双方の機能を制限してもよい。また、図８では、プログラムの機能を制限すると共にコンテンツデータの内容を削減しているが、例えば、コピープログラムにコンテンツデータの一部のみをコピーする機能を持たせたり、編集プログラムにコンテンツデータの一部のみを利用可能にする機能を持たせるなど、コンテンツデータの内容を削減せずにプログラム側の機能を制限することによって第２の記録装置１０でコンテンツデータの一部のみが利用できるようにしてもよい。
【００３８】
また、この第１の記録媒体９ａは上記プログラムやコンテンツデータのみが記録されたものとしてもよいが、第１の記録媒体９ａを識別するための識別情報が書き込まれていてもよい。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３９】
ここで、一般的な記録媒体（ＣＤ−Ｒ）の構造について、図１２を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４０】
次に、記録媒体装填部４に第１の記録媒体９ａを装填すると、ステップＳ１０２で、第１の記録媒体９ａのSetupプログラムが起動し、特定のプログラムが第１の記録装置１にインストールされると共に、所定のコンテンツデータが第１の記録装置１の記憶手段１１にコピーされる。例えば、図９に示すように、所定のディレクトリの所定のフォルダ（ここではProgram files）の下位に、特定のプログラムや所定のコンテンツデータの格納場所を示すフォルダ（ここではUtility）が作成され、その中に特定のプログラム（ここではedit.exeとcopy.exe）と、コンテンツデータ（ここではコンテンツＡとコンテンツＢ）と、制限付きプログラムを第２の記録装置１０にインストールするためのデータ（ここではcompressedit1.dllと、compresscopy.dllと、Setup.exe）と、第２の記録装置１０に記録するための部分コンテンツデータ（ここではコンテンツＢ）と、が記録される。
【００４１】
なお、ここでは、記録媒体装填部４に第１の記録媒体９ａを装填したら自動的にSetupプログラムが起動するようにしたが、表示手段５にプログラムのインストールやコンテンツデータのコピーを開始するか否かを確認するための画面を表示し、ユーザの指示に従ってプログラムのインストールやコンテンツデータのコピーが開始されるようにしてもよい。
【００４２】
次に、ステップＳ１０３で、記録媒体装填部４に第２の記録媒体９ｂを装填した後、第１の記録装置１にインストールされたコピープログラム（又は第１の記録媒体９ａのコピープログラム）を起動すると、ステップＳ１０４で、コピープログラムは記憶手段１１に記憶された制限付きプログラムを第２の記録装置１０にインストールするためのデータや部分コンテンツデータを第２の記録媒体９ｂに記録する。この第２の記録媒体９ｂのデータ記録構造は、例えば、図１０（ａ）に示すようになり、制限付きプログラムを第２の記録装置１０にインストールするためのデータ（compressedit1.dllとcompresscopy.dllとSetup.exe）と、第２の記録装置１０に記録するための部分コンテンツデータ（コンテンツＢ）と、制限付きプログラムを第３の記録装置にインストールするためのデータ（compressedit1.dllとcompresscopy.dllとSetup.exe）と、第３の記録装置に記録するための部分コンテンツデータ（コンテンツＢ）と、が記録される。
【００４３】
なお、図１０（ａ）では、第２の記録装置１０と第３の記録装置とに同じ制限付きプログラムと部分コンテンツデータとを記録する構成としているが、図１０（ｂ）に示すように、第３の記録装置には、制限付きプログラムの機能を更に制限したプログラム（compressedit2.dll）や部分コンテンツデータの内容を更に削減した部分コンテンツデータ（コンテンツＢのB1.jpg…など）を記録する構成としてもよい。
【００４４】
次に、ステップＳ１０５で、第２の記録装置１０の記録媒体装填部１４に上記手順で作成した第２の記録媒体９ｂを装填すると、第２の記録媒体９ｂのSetupプログラムが起動し、ステップＳ１０６で制限付きプログラムのインストール及び部分コンテンツデータのコピーを開始し、第２の記録装置１０には、例えば、図１１に示すように、所定のディレクトリの所定のフォルダ（ここではProgram files）の下位に、特定のプログラムや所定のコンテンツデータの格納場所を示すフォルダ（ここではUtility）が作成され、その中に、制限付きプログラム（edit1.exe、copy.exe）と、部分コンテンツデータ（コンテンツＢ）と、制限付きプログラムを第３の記録装置にインストールするためのデータ（compressedit1.dllとcompresscopy.dllとSetup.exe）と、第３の記録装置に記録するための部分コンテンツデータ（コンテンツＢ）と、が記録される。
【００４５】
なお、第２の記録媒体９ｂに図１０（ｂ）に示すデータが記録されている場合は、図１１（ｂ）に示すように、制限付きプログラムを第３の記録装置にインストールするためのデータとしてcompressedit2.dllとcompresscopy.dllとSetup.exeとが記録され、第３の記録装置に記録するための部分コンテンツデータとしてコンテンツＢのB1.jpg…が記録される。
【００４６】
その後、ステップＳ１０７で、第２の記録装置１０の記録媒体装填部１４に第３の記録媒体９ｃを装填し、ステップＳ１０８で、コピープログラム（copy.exe）を用いて、制限付きプログラムを第３の記録媒体９ｃにインストールするためのデータ及び部分コンテンツデータを記録する。以下、同様の操作を繰り返すことにより、第１の記録装置１には、特定のプログラムがインストールされると共にコンテンツデータが記録され、第２の記録装置１０…には、制限付きプログラムがインストールされると共に部分コンテンツデータが記録される。
【００４７】
このように、本実施例では、第１の記録媒体９ａに、特定のプログラムを第１の記録装置１にインストールするためのデータと、第１の記録装置１に記録するためのコンテンツデータと、制限付きプログラムを第２の記録装置１０にインストールするためのデータと、第２の記録装置１０に記録するための部分コンテンツデータと、が記録されているため、ユーザ自身がプログラムやコンテンツデータを用意しなくても、特定のプログラムやコンテンツデータを第１の記録装置１、第２の記録装置１０…で利用することができるため、ユーザの利便性を向上させることができる。
【実施例２】
【００４８】
次に、本発明の第２の実施例に係る記録媒体及び該記録媒体を用いたデータの提供方法について、図１３乃至図２５を参照して説明する。図１３は、本発明の第２の実施例に係るシステムの構成を模式的に示す図であり、図１４は、第１の記録装置の手段を示すブロック図である。また、図１５は、記録媒体を用いたデータの提供手順を示すフローチャート図であり、図１６乃至図２０は、データの記録構造を示す図である。また、図２１は、第２の記録媒体におけるデータの記録領域を模式的に示す図であり、図２２乃至図２５は、第１の記録装置の表示手段に表示される画面の一例を示す図である。
【００４９】
前記した第１の実施例では、第２の記録媒体９ｂや第３の記録媒体９ｃには制限付きプログラムと部分コンテンツデータのみを記録したが、これらに加えて、画像データや該画像データに基づいて生成された家電機器用データを記録することもできる。そこで、本実施例では、第１の記録装置１で画像データを読み取って家電機器用データを生成し、第２の記録媒体９ｂに制限付きプログラムと部分コンテンツデータに加えて、これらのデータを記録する場合について説明する。
【００５０】
図１３に示すように、本実施例のシステムは、第１の記録媒体９ａにより特定のプログラムをインストールしたり、コンテンツデータを記録すると共に、画像データを入力して家電機器用データを生成し、第２の記録媒体９ｂを作成する第１の記録装置１と、第２の記録媒体９ｂにより機能の一部が制限された特定のプログラムをインストールしたり、内容が削減されたコンテンツデータを記録すると共に、第３の記録媒体９ｃを作成する第２の記録装置１０などからなる。
【００５１】
また、図１３及び図１４に示すように、第１の記録装置１は、メディア装填部２に装填されたスマートメディア、コンパクトフラッシュ（登録商標）、メモリースティック（登録商標）、ＳＤメモリーカード、マルチメディアカードなどの記録媒体（以下、メディア８と呼ぶ。）や、機器接続部３に接続されたデジタルカメラ７（デジタルスチルカメラ及びデジタルムービーカメラの双方を含む。）やカメラ付き携帯電話機７ａ等の撮影機器から画像データ（静止画像データや動画データ、画像情報を含むデータを総称して画像データと呼ぶ。）を入力し、また、記録媒体装填部４に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の第１の記録媒体９ａからコンテンツデータなどを入力するデータ入力手段２０と、記録媒体装填部４に装填された第２の記録媒体９ｂに画像データや家電機器用データ、制限付きプログラム、部分コンテンツデータなどを記録するデータ記録手段２１と、特定のプログラムやコンテンツデータなどを記憶するハードディスクなどの記憶手段１１と、ＬＣＤ、ＣＲＴ等の表示手段５と、ボタン、キーボード、マウス等の操作手段６とを備えている。
【００５２】
なお、本実施例においても、第１の記録装置１や第２の記録媒体１０の形態は任意であり、例えば、写真店やコンビニエンスストアなどの店舗に設置される無人端末（キオスク）としたり、専用のセットトップボックスとしたり、ポータブルライターなどとしたり、演算処理機能を備えるＨＤＤレコーダやＤＶＤレコーダ、ゲーム機などとしたり、ハードディスクを備えた端末と画像データの読み取りや書き込みを行う本体とが分離可能な携帯機器としたり、演算処理機能を備えたカーナビゲーション機器などとすることもできる。
【００５３】
次に、上記第１の記録媒体９ａを元に、第１の記録装置１にプログラムやコンテンツデータを記録し、プログラムやコンテンツデータに加えて、第１の記録装置１で読み取った画像データや生成した家電機器用データを第２の記録媒体９ｂに記録する手順について、図１５のフローチャート図を参照して説明する。なお、本実施例でも、特定のプログラムや制限付きプログラムを第１の記録装置１や第２の記録装置１０にインストールする構成としているが、これらのプログラムを記録装置にインストールせずに、第１の記録媒体９ａの特定のプログラムや第２の記録媒体９ｂの制限付きプログラムを機能させてもよい。
【００５４】
まず、ステップＳ２０１で、第１の記録装置１の記録媒体装填部４に第１の記録媒体９ａを装填する。この第１の記録媒体９ａには、例えば、図１６に示すように、特定のプログラムを第１の記録装置１にインストールするためのデータ（ここでは編集プログラムとなるcompressedit.dllと、コピープログラムとなるcompresscopy.dllと、家電機器用データを生成するスライドショー作成プログラムとなるcompressgenerate.dllと、これらを解凍して第１の記録装置１にインストールするためのSetup.exe）と、第１の記録装置１に記録されるコンテンツデータ（ここではコンテンツＡのA1.jpg…やA1.mp3…と、コンテンツＢのB1.jpg…やB1.mp3…）と、制限付きプログラムを第２の記録装置１０にインストールするためのデータ（ここではcompressedit1.dllとcompresscopy.dllとcompressgenerate.dllとSetup.exe）と、第２の記録装置１０に記録するための部分コンテンツデータ（ここではコンテンツＢのB1.jpg…やB1.mp3…）と、が記録されている。
【００５５】
なお、図１６の構成は例示であり、本実施例においても、特定のプログラムを第１の記録装置１にインストールするためのデータと、第１の記録装置１に記録されるコンテンツデータと、制限付きプログラムを第２の記録装置１０にインストールするためのデータと、第２の記録装置１０に記録される部分コンテンツデータと、が記録されていればよい。また、図１６では、編集プログラムの機能のみを制限する場合を示しているが、少なくとも１つのプログラムの機能の一部が制限されていればよく、コンテンツデータの内容を削減せずにプログラム側の機能を制限することによって第２の記録装置１０でコンテンツデータの一部のみが利用できるようにしてもよい。また、この第１の記録媒体９ａに、少なくとも一部がコンピュータのＯＳでは記録内容を制御できない情報、具体的にはプログラムメモリ領域の情報や、ＣＤ−Ｒ成型時に付与される案内溝変調（ＡＴＩＰ）による情報などで構成される識別情報が書き込まれていてもよい。
【００５６】
次に、記録媒体装填部４に第１の記録媒体９ａを装填すると、ステップＳ２０２で、Setupプログラムが起動し、特定のプログラムが第１の記録装置１にインストールされると共に、所定のコンテンツデータが第１の記録装置１の記憶手段１１にコピーされる。例えば、図１７に示すように、所定のディレクトリの所定のフォルダ（ここではProgram files）の下位に、特定のプログラムや所定のコンテンツデータの格納場所を示すフォルダ（ここではUtility）が作成され、その中に特定のプログラム（ここではedit.exeとcopy.exeとgenerate.exe）と、コンテンツデータ（ここではコンテンツＡとコンテンツＢ）と、制限付きプログラムを第２の記録装置１０にインストールするためのデータ（ここではcompressedit1.dllとcompresscopy.dllとcompressgenerate.dllとSetup.exe）と、第２の記録装置１０に記録するための部分コンテンツデータ（ここではコンテンツＢ）と、が記録される。
【００５７】
次に、ステップＳ２０３で、記録装置１のメディア装填部２にメディア８を装填、又は、機器接続部３にデジタルカメラ７やカメラ付き携帯電話機７ａを接続すると、ステップＳ２０４で、データ入力手段２０は、デジタルカメラ７やメディア８から画像データを読み取り、ステップＳ２０５で、表示手段５に図２２に示すような画像一覧表示画面２２が表示される。この画像一覧表示画面２２には、例えば、画像データの供給元を示すタグ表示欄２３と、画像データの縮小画像（サムネイル画像）を一覧表示する一覧表示欄２４と、画像データに対して行う処理を選択する作業メニュー欄２５とが表示される。
【００５８】
次に、ステップＳ２０６で、作業メニュー欄２５の中から”新しいＣＤを作る”を選択すると、インストールされたスライドショー作成プログラムが起動し、表示手段５に図２３に示すようなスライドショー作成画面２６が表示される。このスライドショー作成画面２６には、例えば、画像データの供給元を示すタグ表示欄２３と、画像データの縮小画像を一覧表示する一覧表示欄２４と、選択された画像データを表示する選択画像表示欄２７と、操作手順を明示する手順表示欄２８とが表示され、記録されたスキンにより特別のデザインのボタンやスイッチなどが表示される。
【００５９】
そして、一覧表示欄２４の中からスライドショーとして再生する画像データを選択すると、選択された画像が選択画像表示欄２７に順次表示されるが、その際、画像データを編集する場合は、ステップＳ２０７で画像データを選択した状態で編集ボタン２９を押すと、インストールされた編集プログラムが起動し、ステップＳ２０８で各種編集を実行する画面が表示される。その際、記録されたスキンにより特別のデザインのボタンやスイッチなどが表示され、また、記録されたテンプレートデータにより特別なデザインのテンプレートが利用可能に表示されるため、利用価値の高いスライドショーの作成を効果的に行うことができる。
【００６０】
トリミングを行う場合には、例えば、図２４に示すようなトリミング編集画面３０が表示される。このトリミング編集画面３０には、例えば、トリミングを行う画像データとトリミング枠３２とを表示する画像表示領域３１と、トリミング枠３２の位置や大きさ、向きなどを調整するトリミング調整欄３３とが表示され、ユーザは、トリミング調整欄３３でトリミング枠３２を動かしながら画像データに基づく画像の所望の領域を切り出す等の画像データの編集を行い、編集プログラムは、トリミング枠３２内の画像データを新たに作成したり、画像データとトリミング枠３２との関連付けを行う。
【００６１】
また、明るさを調整する場合には、例えば、オリジナルの画像データを表示する領域と、調整後の画像データを表示する領域と、明るさ調整部と、画像データの各画素の明度をヒストグラム表示する領域などからなる明るさ調整画面が表示され、ユーザは、調整後の画像とヒストグラムを確認しながら明るさ調整部を操作して画像データを所望の明るさに調整することができる。また、色を調整する場合には、例えば、オリジナルの画像データを表示する領域と、調整後の画像データを表示する領域と、ＲＧＢ各色の色調整部などからなる色調整画面が表示され、ユーザは、調整後の画像を確認しながらＲＧＢ各色の色調整部を操作して画像データを所望の色彩に調整することができる。
【００６２】
また、スライドショー作成画面２６の手順表示欄２８に従って操作を行い、”文字を入れる”のステップになると、同様に編集プログラムが起動し、ステップＳ２０８で、例えば、図２５に示すような文字合成画面３４が表示される。この文字合成画面３４には、例えば、文字やイラストを合成する画像を選択する欄と、選択された画像データを表示する画像表示領域３１と、画像データに基づく画像を回転させる回転ボタン３５と、合成する文字やイラストの位置や大きさ、向きなどを調整する合成調整欄３６とが表示され、ユーザは、文字又はイラストを画像表示領域３１の画像に重ねて表示させ、合成調整欄３６で文字やイラストを動かしながら合成画像データを作成する等の画像データの編集を行い、編集プログラムは、文字やイラストが合成された合成画像データを作成したり、画像データと文字又はイラストとの関連付けを行う。
【００６３】
また、”ＢＧＭを選ぶ”のステップになると、同様に編集プログラムが起動し、ステップＳ２０８で、所定のＢＧＭ選択画面を表示する。このＢＧＭ選択画面には、例えば、画像の表示と共に再生する音楽データの記録場所を選択する欄や記録場所に記録されている音楽データの一覧を表示する欄、画像や音楽の再生条件（例えば、スライド効果やスライド間隔など）を設定する欄が表示され、ユーザは、操作手段１３を用いて所望の音楽を選択したり再生条件を設定する等の画像データの編集を行い、編集プログラムは画像データと音楽データの関連付けを行う。
【００６４】
なお、ここでは編集プログラムで実行可能な処理として、画像の回転、トリミング、文字やイラストの合成、画像表示の際に再生する音楽データの関連付け、明るさ調整、コントラスト調整、色調整を例にして述べたが、編集プログラムで実行可能な処理はこれらに限定されず、画像データに対して実行可能な任意の処理とすることができる。また、図２２乃至図２５の画面構成は例示であり、所望の編集処理が実行可能な任意の構成とすることができる。
【００６５】
そして、画像データの編集が終了したら、ステップＳ２０９で、編集した画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、読み取った画像データのデータサイズを縮小したサムネイル画像データやスクリーンネイル画像データなどの縮小画像データを作成する。
【００６６】
次に、ステップＳ２１０で、記録媒体装填部４に第２の記録媒体９ｂを装填した後、第１の記録装置１にインストールされたコピープログラムを起動すると、コピープログラムは第２の記録媒体９ｂに各種データを記録するが、その際、家電機器ではデータを読み込むことができる記録領域が限定されるため、家電機器用データを記録する場合は、ステップＳ２１１で、生成した家電機器用データを第２の記録媒体９ｂの論理アドレス領域の内周側に書き込み、必要に応じてセッションをクローズした後、ステップＳ２１２で、記憶手段１１に記憶された制限付きプログラムをインストールするためのデータや部分コンテンツデータと読み取った画像データと生成した家電機器用データとを第２の記録媒体９ｂの先に記録した家電機器用データの外側に書き込む。
【００６７】
この第２の記録媒体９ｂには、例えば、図２１に示すように各種データが記録され、ディスク型記録媒体９の最内周の論理アドレス領域外には識別情報が記録され、論理アドレス領域の内周側の領域には必要に応じて家電機器用データが記録され、家電機器用データの外周側の領域には制限付きプログラムや部分コンテンツデータ、画像データなどのコンピュータ機器用データが記録される。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００６８】
また、この第２の記録媒体９ｂのデータ記録構造は、例えば、図１８に示すようになり、画像データの格納場所を示すフォルダ（PS_Rollフォルダ）内の画像データや縮小画像データ、管理データ（index.pvm）と、制限付きプログラムを第２の記録装置１０にインストールするためのデータ（compressedit1.dllとcompresscopy.dllとcompressgenerate.dllとSetup.exe）と、第２の記録装置１０に記録するための部分コンテンツデータ（コンテンツＢ）と、制限付きプログラムを第３の記録装置にインストールするためのデータ（compressedit1.dllとcompresscopy.dllとcompressgenerate.dllとSetup.exe）と、第３の記録装置に記録するための部分コンテンツデータ（コンテンツＢ）などで構成されるコンピュータ機器用データと、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで構成される家電機器用データと、が記録される。
【００６９】
なお、図１８では、第２の記録装置１０と第３の記録装置とに同じ制限付きプログラムと部分コンテンツデータとを記録する構成としているが、図１９（ａ）に示すように、第３の記録装置には、制限付きプログラムの機能を更に制限したプログラム（compressedit2.dll）や部分コンテンツデータの内容を更に削減した部分コンテンツデータ（コンテンツＢのB1.jpg…）を記録する構成としてもよい。また、家電機器用データとしてＤＶＤ−Ｖｉｄｅｏ形式のデータを生成した場合は、図１９（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などが記録される。
【００７０】
また、上記フォルダ構造やフォルダ名称、ファイル名称などは任意であるが、記録構造と識別情報とを対応付けるために、例えば、識別情報をYYMDyyyXXXXXXAAB（YYMD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z））とした場合は、画像データの格納場所を示すフォルダ（PS_Roll）の下位の階層にメディア８毎、機器毎、フィルム毎のデータの格納場所を示すフォルダを設け、該フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としたり、各々のデータのファイル名称をCCYYMMDDxxxxxx（CC：データの種別、YYMMDD：書き込み年月日を特定する数字、xxxxxx：シーケンシャル番号）などとすることが好ましい。
【００７１】
次に、ステップＳ２１３で、第２の記録装置１０の記録媒体装填部１４に上記手順で作成した第２の記録媒体９ｂを装填すると、第２の記録媒体９ｂのSetupプログラムが起動し、ステップＳ２１４で制限付きプログラムのインストール及び部分コンテンツデータのコピーを開始し、第２の記録装置１０には、例えば、図２０に示すように、所定のディレクトリの所定のフォルダ（ここではProgram files）の下位に、特定のプログラムや所定のコンテンツデータの格納場所を示すフォルダ（ここではUtility）が作成され、その中に、制限付きプログラム（edit1.exeとcopy.exeとgenerate.exe）と、部分コンテンツデータ（コンテンツＢ）と、制限付きプログラムを第３の記録装置にインストールするためのデータ（compressedit1.dllとcompresscopy.dllとcompressgenerate.dllとSetup.exe）と、第３の記録装置に記録するための部分コンテンツデータ（コンテンツＢ）と、が記録される。
【００７２】
なお、第２の記録媒体９ｂに図１９（ａ）に示すデータが記録されている場合は、図２０（ｂ）に示すように、制限付きプログラムを第３の記録装置にインストールするためのデータとしてcompressedit2.dllとcompresscopy.dllとcompressgenerate.dllとSetup.exeとが記録され、第３の記録装置に記録するための部分コンテンツデータとしてコンテンツＢのB1.jpg…が記録される。
【００７３】
その後、第１の実施例と同様に、第２の記録装置１０の記録媒体装填部１４に第３の記録媒体９ｃを装填し、コピープログラム（copy.exe）を用いて、制限付きプログラムを第３の記録媒体９ｃにインストールするためのデータ及び部分コンテンツデータを記録し、以下、同様の操作を繰り返すことにより、第１の記録装置１には、特定のプログラムがインストールされると共にコンテンツデータが記録され、第２の記録装置１０…には、制限付きプログラムがインストールされると共に部分コンテンツデータが記録される。
【００７４】
このように、本実施例では、第１の記録媒体９ａに、特定のプログラムを第１の記録装置１にインストールするためのデータと、第１の記録装置１に記録するためのコンテンツデータと、制限付きプログラムを第２の記録装置１０にインストールするためのデータと、第２の記録装置１０に記録するための部分コンテンツデータと、が記録されているため、ユーザ自身がプログラムやコンテンツデータを用意しなくても、特定のプログラムやコンテンツデータを第１の記録装置１、第２の記録装置１０…で利用することができるため、ユーザの利便性を向上させることができる。また、第１の記録装置１で画像データに基づいて家電機器用データを生成し、第２の記録媒体９ｂに記録することにより、記録媒体の価値を高めることができる。
【実施例３】
【００７５】
次に、本発明の第３の実施例に係る記録媒体及び該記録媒体を用いたデータの提供方法について、図２６乃至図３３を参照して説明する。図２６は、本発明の第３の実施例に係るシステムの構成を模式的に示す図であり、図２７は、記録媒体を用いたデータの提供手順を示すフローチャート図である。また、図２８乃至図３１は、データの記録構造を示す図であり、図３２及び図３３は、第１の記録装置の表示手段に表示される画面の一例を示す図である。
【００７６】
図２６に示すように、本実施例のシステムは、複数の記録媒体（ここでは第１の記録媒体９ａと他の記録媒体３７）を用いて特定のプログラムをインストールしたり、コンテンツデータやロゴタイプデータを記録すると共に、第２の記録媒体９ｂを作成する第１の記録装置１などからなる。なお、第１及び第２の実施例と同様に、第２の記録媒体９ｂにより機能の一部が制限された特定のプログラムをインストールしたり、内容が削減されたコンテンツデータを記録すると共に、第３の記録媒体９ｃを作成する第２の記録装置などを含んでもよい。
【００７７】
上記第１の記録媒体９ａには、図２８に示すように、編集プログラムやコピープログラムなどの特定のプログラム（バージョンをＸとする。）を第１の記録装置１にインストールするためのデータと、第１の記録装置１に記録するための特別なデザインのテンプレートデータ（Template Ａ）やスライドショーと共に再生する音楽データ（ＢＧＭ Ａ）、特別なデザインのスキン（Skin Ａ）などのコンテンツデータ（以下、コンテンツＡと呼ぶ。）と、特定のプログラムを起動させた時に第１の記録装置１の表示手段５に表示される画面上に示されるロゴタイプデータ（Logo Ａ）と、特定のプログラムに備える機能の一部が利用できないように設定された制限付きプログラムを第２の記録装置にインストールするためのデータ及び第２の記録装置に記録するための部分コンテンツデータ（コンテンツデータＡ’と呼ぶ。）とが記録されている。
【００７８】
また、他の記録媒体３７には、図２９に示すように、特定のプログラム（バージョンをＹとする。）を第１の記録装置１にインストールするためのデータと、第１の記録装置１に記録するためのテンプレートデータ（Template Ｂ）や音楽データ（ＢＧＭ Ｂ）、スキン（Skin Ｂ）などのコンテンツデータ（以下、コンテンツＢと呼ぶ。）と、ロゴタイプデータ（Logo Ｂ）と、特定のプログラムに備える機能の一部が利用できないように設定された制限付きプログラムを第２の記録装置にインストールするためのデータ及び第２の記録装置に記録するための部分コンテンツデータ（コンテンツデータＢ’）と、が記録されている。
【００７９】
ここで、第１の記録装置１に特定のプログラムをインストールしたり、コンテンツデータやロゴタイプデータを記録するために使用する記録媒体は一つであるとは限らず、例えば、特定のプログラムが順次バージョンアップされる場合に、各々の記録媒体に記録されている特定のプログラムは種類が同じであってもバージョンが異なる場合がある。また、複数の会社がコンテンツデータを提供する場合には、各々の記録媒体に記録されているコンテンツデータの中身が異なる場合もある。また、特定のプログラムを起動する際に、コンテンツデータを提供する会社にとっては、その記録媒体に記録されているコンテンツデータが自社のものであることを示すためにロゴマークを表示させることを希望する場合もある。
【００８０】
そのような場合に、ユーザが第１の記録媒体９ａを用いて第１の記録装置１にバージョンＸの特定のプログラムをインストールし、コンテンツＡのコンテンツデータやロゴＡのロゴタイプデータを記録した後、他の記録媒体３７を入手した場合に、特定のプログラムをどのようにインストールすればよいのか（例えば、バージョンＸの特定のプログラムを削除してバージョンＹの特定のプログラムを再インストールするか、バージョンＸの特定のプログラムを残すか）、コンテンツデータやロゴタイプデータをどのように記録すればよいのか（例えば、コンテンツＡやロゴＡを削除してコンテンツＢやロゴＢを記録するか、コンテンツＡやロゴＡを残してコンテンツＢやロゴＢを追加するか）が分からず、古いバージョンの特定のプログラムをインストールしてしまったり、使いたいコンテンツデータを削除してしまったり、コンテンツとそのコンテンツデータが記録された記録媒体の提供元を示すロゴとが対応しなくなってしまうなどの問題が生じる。
【００８１】
そこで、本実施例では、特定のプログラムをインストールしたりコンテンツデータやロゴタイプデータを記録するためのSetupプログラム（本実施例では各々の記録媒体に記録されたSetup.exe）に、適切なバージョンの特定のプログラムがインストールされ、適切なコンテンツデータやロゴタイプデータが記録されるようにするための機能を持たせる。
【００８２】
具体的には、コンピュータを、記録先（第１の記録装置１）に予め定められたルールに従って生成された記録構造が存在するか（例えば、予め定められた所定の名称のフォルダがあるか）を調べ、その記録構造が存在する（例えば、所定の名称のフォルダがある）場合において、記録媒体の特定のプログラムが予めインストールされている特定のプログラムよりもバージョンが新しい場合に、記録媒体の特定のプログラムをインストール又は予めインストールされている特定のプログラムをバージョンアップし、記録媒体のコンテンツデータが予め記録されているコンテンツデータと異なる新しいコンテンツデータを含む場合に、その新しいコンテンツデータを記録先に追加し、記録媒体のロゴタイプデータが予め記録されているロゴタイプデータと異なる場合に、予め記録されているロゴタイプデータを記録媒体のロゴタイプデータに差し替える手段、として機能させる。
【００８３】
なお、上記ではSetupプログラムを各々の記録媒体に記録する構成としているが、このSetupプログラムは第１の記録装置１に備えていてもよいし、Setupプログラムが記録された別の記録媒体を用いてもよい。
【００８４】
次に、上記第１の記録媒体９ａ及び他の記録媒体３７を利用して、第１の記録装置１に特定のプログラムをインストールしたり、コンテンツデータやロゴタイプデータを記録する手順について、図２７のフローチャート図を参照して説明する。なお、以下では、第２の記録媒体９ｂを作成するまでの手順を示すが、第１及び第２の実施例と同様に、第３の記録媒体９ｃ…を順次作成してもよい。
【００８５】
まず、ステップＳ３０１で、第１の記録装置１の記録媒体装填部４に第１の記録媒体９ａを装填する。この第１の記録媒体９ａには、例えば、図２８に示すように、バージョンＸの特定のプログラムを第１の記録装置１にインストールするためのデータ（ここでは編集プログラムとなるcompressedit.dllと、コピープログラムとなるcompresscopy.dllと、これらを解凍して第１の記録装置１にインストールするためのSetup.exe）と、第１の記録装置１に記録するためのコンテンツデータ（コンテンツＡ）及びロゴタイプデータ（ロゴＡ）と、制限付きプログラムを第２の記録装置にインストールするためのデータ（ここでは制限付き編集プログラムとなるcompressedit1.dllと、コピープログラムとなるcompresscopy.dllと、これらを解凍して第２の記録装置１にインストールするためのSetup.exe）と、第２の記録装置に記録するための部分コンテンツデータ（コンテンツＡ’）とが記録されている。
【００８６】
なお、図２８は例示であり、特定のプログラムを第１の記録装置１にインストールするためのデータと、第１の記録装置１に記録されるコンテンツデータ及びロゴタイプデータと、制限付きプログラムを第２の記録装置にインストールするためのデータと、第２の記録装置に記録される部分コンテンツデータとが記録されていればよい。また、編集プログラムとコピープログラムの双方の機能を制限してもよいし、コピープログラムにコンテンツデータの一部のみをコピーする機能を持たせたり、編集プログラムにコンテンツデータの一部のみを利用可能にする機能を持たせるなど、コンテンツデータの内容を削減せずにプログラム側の機能を制限することによって第２の記録装置でコンテンツデータの一部のみが利用できるようにしてもよい。
【００８７】
次に、ステップＳ３０２で、第１の記録媒体９ａのSetupプログラムを起動すると、ステップＳ３０３で、Setupプログラムは、第１の記録装置１の記憶手段１１の記録構造を調べ、ステップＳ３０４で、予め定められた所定の名称（Setupプログラムがコンテンツデータやロゴタイプデータ、第２の記録装置に記録するためのデータを記録する際に生成するフォルダ、ここでは”Utility”）のフォルダがあるか否かを判断する。
【００８８】
この段階では、第１の記録装置１の記憶手段１１に所定の名称のフォルダがないことから、ステップＳ３０５で、バージョンＸの特定のプログラムを第１の記録装置１にインストールすると共に、コンテンツＡのコンテンツデータ及びロゴＡのロゴタイプデータを第１の記録装置１の記憶手段１１に記録する。
【００８９】
この状態における第１の記録装置１のデータ記録構造は、例えば、図３０に示すようになり、所定のディレクトリの所定のフォルダ（ここではProgram files）の下位に、特定のプログラムや所定のコンテンツデータ、ロゴタイプデータの格納場所を示すフォルダ（ここではUtility）が作成され、その中にバージョンＸの特定のプログラムと、コンテンツＡのコンテンツデータと、ロゴＡのロゴタイプデータと、制限付きプログラムを第２の記録装置にインストールするためのデータと、第２の記録装置１０に記録するための部分コンテンツデータ（コンテンツＡ’）とが記録される。
【００９０】
そして、ステップＳ３１５で、インストールされた特定のプログラムを起動すると、表示手段５には、例えば図３２に示すような画面（ここではスライドショー作成画面２６とする。）が表示される。このスライドショー作成画面２６には、第２の実施例と同様に、画像データの供給元を示すタグ表示欄２３と、画像データの縮小画像を一覧表示する一覧表示欄２４と、選択された画像データを表示する選択画像表示欄２７と、操作手順を明示する手順表示欄２８とが表示され、記録されたスキン（スキンＡ）により特別のデザインのボタンやスイッチなどが表示される。また、スライドショー作成画面２６の任意の場所に、ロゴタイプデータに基づくロゴマーク３８（ここでは”ＡＡＡ”）が表示され、この画面が第１の記録媒体９ａに基づくものであることが認識できるようになっている。
【００９１】
ここで、第１及び第２の実施例では、その後、第２の記録媒体９ｂを作成したが、前述したように、ユーザが第１の記録媒体９ａとは異なる他の記録媒体３７を入手し、他の記録媒体３７の利用を望む場合もある。その場合の動作を以下に説明する。
【００９２】
まず、ステップＳ３０１で、第１の記録装置１の記録媒体装填部４に他の記録媒体３７を装填する。この他の記録媒体３７には、例えば、図２９に示すように、バージョンＹの特定のプログラムを第１の記録装置１にインストールするためのデータと、第１の記録装置１に記録するためのコンテンツＢのコンテンツデータと、ロゴＢのロゴタイプデータと、制限付きプログラムを第２の記録装置にインストールするためのデータと、第２の記録装置に記録するための部分コンテンツデータ（コンテンツＢ’）とが記録されている。
【００９３】
次に、ステップＳ３０２で、第１の記録媒体９ａのSetupプログラムを起動すると、ステップＳ３０３で、Setupプログラムは、第１の記録装置１の記憶手段１１の記録構造を調べ、ステップＳ３０４で、予め定められた所定の名称（ここでは”Utility”）のフォルダがあるか否かを判断する。
【００９４】
ここで、前記したステップＳ３０５で、第１の記録媒体９ａによって記憶手段１１には予め所定の名称のフォルダが形成されていることから、ステップＳ３０６で、Setupプログラムは、記憶手段１１に予めインストールされている特定のプログラムのバージョンを調べ、ステップＳ３０７で、そのバージョン（ここではバージョンＸ）と他の記録媒体３７の特定のプログラムのバージョン（ここではバージョンＹ）とを比較し、予めインストールされている特定のプログラムのバージョン（バージョンＸ）の方が新しい場合はステップＳ３０９にスキップし、バージョンＸの方が古い場合は、ステップＳ３０８で、バージョンＹの特定のプログラムを第１の記録装置１にインストールする。なお、インストールに際して、古いバージョンの特定のプログラムをアンインストールした後、新しいバージョンの特定のプログラムをインストールしてもよいし、アンインストールせずにバージョンアップしてもよい。
【００９５】
次に、ステップＳ３０９で、Setupプログラムは、記憶手段１１に予め記録されているコンテンツデータ（コンテンツＡ）を調べ、ステップＳ３１０で、コンテンツＡと他の記録媒体３７のコンテンツＢとを比較し、新しいコンテンツデータがない場合（すなわち、コンテンツＡがコンテンツＢを包含している場合）はステップＳ３１２にスキップし、新しいコンテンツデータがある場合は、ステップＳ３１１で、新しいコンテンツデータを第１の記録装置１に記録する。その際、予め記録されたコンテンツデータをユーザが使用する場合を考慮してそのコンテンツデータはそのまま残し、新しいコンテンツデータのみを追加する。
【００９６】
次に、ステップＳ３１２で、Setupプログラムは、記憶手段１１に予め記録されているロゴタイプデータ（ロゴＡ）を調べ、ステップＳ３１３で、ロゴＡと他の記録媒体３７のロゴＢとを比較し、ロゴＡとロゴＢとが同じ場合はステップＳ３１５にスキップし、ロゴＡとロゴＢとが異なる場合は、ステップＳ３１４で、ロゴＡのロゴタイプデータを削除してロゴＢのロゴタイプデータを第１の記録装置１に記録する。
【００９７】
この状態における第１の記録装置１のデータ記録構造は、例えば、図３１に示すようになり、所定のディレクトリの所定のフォルダ（ここではProgram files）の下位に、特定のプログラムやコンテンツデータ、ロゴタイプデータの格納場所を示すフォルダ（ここではUtility）が作成され、その中にバージョンＹの特定のプログラム（バージョンＸよりもバージョンＹの方が新しいとする。）と、コンテンツデータ（コンテンツＡ＋Ｂ）と、ロゴタイプデータ（ロゴＢ）と、制限付きプログラムを第２の記録装置にインストールするためのデータと、第２の記録装置に記録するための部分コンテンツデータ（コンテンツＡ’＋Ｂ’）とが記録される。なお、図３１は、コンテンツＡとコンテンツＢとが重複していない場合であるが、コンテンツＡとコンテンツＢとが部分的に重複している場合は新しいコンテンツデータのみを記録すればよい。
【００９８】
そして、ステップＳ３１５で、インストールされた特定のプログラムを起動すると、表示手段５には、例えば、図３３に示すような画面（ここではスライドショー作成画面２６とする。）が表示される。また、このスライドショー作成画面２６の任意の場所に、差し替えられたロゴタイプデータに基づくロゴマーク３８（ここでは”ＢＢＢ”）が表示され、この画面が他の記録媒体３７に基づくものであることが認識できるようになっている。なお、ここでは、追加されたテンプレートやスキンを用いて一覧表示欄２４や選択画像表示欄２７のデザインを変更しているが、デザインを変更する可否かは任意である。
【００９９】
その後、第１及び第２の実施例と同様に、第２の記録装置１０の記録媒体装填部１４に第３の記録媒体９ｃを装填し、コピープログラム（copy.exe）を用いて、制限付きプログラムを第３の記録媒体９ｃにインストールするためのデータ及び部分コンテンツデータを記録する。以下、同様の操作を繰り返すことにより、第１の記録装置１には、特定のプログラムがインストールされると共にコンテンツデータが記録され、第２の記録装置１０…には、制限付きプログラムがインストールされると共に部分コンテンツデータが記録される。
【０１００】
このように、特定のプログラムを第１の記録装置１にインストールすると共に、コンテンツデータやロゴタイプデータなどを第１の記録装置１に記録するためのsetupプログラムは、第１の記録装置１の記憶手段１１に所定の名称のフォルダがあるかを調べ、所定の名称のフォルダがある場合において、特定のプログラムのバージョンが異なる場合にバージョンの新しい特定のプログラムをインストール又はバージョンアップし、新しいコンテンツデータがある場合に新しいコンテンツデータを追加し、ロゴタイプデータが異なる場合にロゴタイプデータを差し替える制御を行うるため、ユーザ自身がプログラムのバージョンやコンテンツデータ及びロゴタイプデータの中身を判断しなくても、適切なバージョンの特定のプログラムや適切な構成のコンテンツデータ及びロゴタイプデータを第１の記録装置１で利用することができるため、ユーザの利便性を向上させることができる。
【０１０１】
なお、上記各実施例では、画像データに対して利用される特定のプログラムやコンテンツデータ、ロゴタイプデータを提供する場合を示したが、本発明は上記実施例に限定されるものではなく、音楽データなどの任意の種類のデータに対して利用される特定のプログラムやコンテンツデータ、ロゴタイプデータを提供する場合において同様に適用することができる。
【産業上の利用可能性】
【０１０２】
本発明は、任意の形状、形態の記録媒体、及び、その記録媒体を用いて任意のデータを提供する方法に対して適用することができる。
【図面の簡単な説明】
【０１０３】
【図１】本発明の第１の実施例に係るシステムの構成を模式的に示す図である。
【図２】本発明の第１の実施例に係る第１の記録装置の他の構成を示す図である。
【図３】本発明の第１の実施例に係る第１の記録装置の他の構成を示す図である。
【図４】本発明の第１の実施例に係る第１の記録装置の他の構成を示す図である。
【図５】本発明の第１の実施例に係る第１の記録装置の他の構成を示す図である。
【図６】本発明の第１の実施例に係る第１の記録装置の他の構成を示す図である。
【図７】本発明の第１の実施例に係る記録媒体を用いたデータの提供手順を示すフローチャート図である。
【図８】本発明の第１の実施例に係る第１の記録媒体のデータ記録構造を示す図である。
【図９】本発明の第１の実施例に係る第１の記録装置のデータ記録構造を示す図である。
【図１０】本発明の第１の実施例に係る第２の記録媒体のデータ記録構造を示す図である。
【図１１】本発明の第１の実施例に係る第２の記録装置のデータ記録構造を示す図である。
【図１２】記録媒体（ＣＤ−Ｒ）の構造を模式的に示す図である。
【図１３】本発明の第２の実施例に係るシステムの構成を模式的に示す図である。
【図１４】本発明の第２の実施例に係る第１の記録装置の手段を示すブロック図である。
【図１５】本発明の第２の実施例に係る記録媒体を用いたデータの提供手順を示すフローチャート図である。
【図１６】本発明の第２の実施例に係る第１の記録媒体のデータ記録構造を示す図である。
【図１７】本発明の第２の実施例に係る第１の記録装置のデータ記録構造を示す図である。
【図１８】本発明の第２の実施例に係る第２の記録媒体のデータ記録構造を示す図である。
【図１９】本発明の第２の実施例に係る第２の記録媒体のデータ記録構造の他の例を示す図である。
【図２０】本発明の第２の実施例に係る第２の記録装置のデータ記録構造を示す図である。
【図２１】本発明の第２の実施例に係る第２の記録媒体のデータ記録領域を示す図である。
【図２２】本発明の第２の実施例に係る第１の記録装置の表示手段に表示される画面構成例（画像一覧表示画面）を示す図である。
【図２３】本発明の第２の実施例に係る第１の記録装置の表示手段に表示される画面構成例（スライドショー作成画面）を示す図である。
【図２４】本発明の第２の実施例に係る第１の記録装置の表示手段に表示される画面構成例（トリミング編集画面）を示す図である。
【図２５】本発明の第２の実施例に係る第１の記録装置の表示手段に表示される画面構成例（文字合成画面）を示す図である。
【図２６】本発明の第３の実施例に係るシステムの構成を模式的に示す図である。
【図２７】本発明の第３の実施例に係る記録媒体を用いたデータの提供手順を示すフローチャート図である。
【図２８】本発明の第３の実施例に係る第１の記録媒体のデータ記録構造を示す図である。
【図２９】本発明の第３の実施例に係る他の記録媒体のデータ記録構造を示す図である。
【図３０】本発明の第３の実施例に係る第１の記録装置のデータ記録構造を示す図である。
【図３１】本発明の第３の実施例に係る第１の記録装置のデータ記録構造を示す図である。
【図３２】本発明の第３の実施例に係る第１の記録装置の表示手段に表示される画面構成例（スライドショー作成画面）を示す図である。
【図３３】本発明の第３の実施例に係る第１の記録装置の表示手段に表示される画面構成例（スライドショー作成画面）を示す図である。
【符号の説明】
【０１０４】
１  第１の記録装置
２  メディア装填部
３  機器接続部
４  記録媒体装填部
５  表示手段
６  操作手段
７  デジタルカメラ
７ａ  カメラ付き携帯電話機
８  メディア
９ａ  第１の記録媒体
９ｂ  第２の記録媒体
９ｃ  第３の記録媒体
１０  第２の記録装置
１１、１２  記憶手段
１４  記録媒体装填部
１５  表示手段
１６  操作手段
２０  データ入力手段
２１  データ記録手段
２２  画像一覧表示画面
２３  タグ表示欄
２４  一覧表示欄
２５  作業メニュー欄
２６  スライドショー作成画面
２７  選択画像表示欄
２８  手順表示欄
２９  編集ボタン
３０  トリミング編集画面
３１  画像表示領域
３２  トリミング枠
３３  トリミング調整欄
３４  文字合成画面
３５  回転ボタン
３６  合成調整欄
３７  他の記録媒体
３８  ロゴマーク
１００  ポリカーボネート基板
１０１  有機色素層
１０２  反射層
１０３  保護層
【図１】
2007042057.tif 000003
【図２】
2007042057.tif 000004
【図３】
2007042057.tif 000005
【図４】
2007042057.tif 000006
【図５】
2007042057.tif 000007
【図６】
2007042057.tif 000008
【図７】
2007042057.tif 000009
【図８】
2007042057.tif 000010
【図９】
2007042057.tif 000011
【図１０】
2007042057.tif 000012
【図１１】
2007042057.tif 000013
【図１２】
2007042057.tif 000014
【図１３】
2007042057.tif 000015
【図１４】
2007042057.tif 000016
【図１５】
2007042057.tif 000017
【図１６】
2007042057.tif 000018
【図１７】
2007042057.tif 000019
【図１８】
2007042057.tif 000020
【図１９】
2007042057.tif 000021
【図２０】
2007042057.tif 000022
【図２１】
2007042057.tif 000023
【図２２】
2007042057.tif 000024
【図２３】
2007042057.tif 000025
【図２４】
2007042057.tif 000026
【図２５】
2007042057.tif 000027
【図２６】
2007042057.tif 000028
【図２７】
2007042057.tif 000029
【図２８】
2007042057.tif 000030
【図２９】
2007042057.tif 000031
【図３０】
2007042057.tif 000032
【図３１】
2007042057.tif 000033
【図３２】
2007042057.tif 000034
【図３３】
2007042057.tif 000035